(57)【要約】      （修正有）【課題】清掃体及びオイルパンの損傷を防ぎつつオイルパン清掃を円滑に行える乗客コンベア用オイルパン清掃機の提供。【解決手段】無端状に連結された複数個の踏み体と一緒に走行して、踏み体下方に対向して設けられたオイルパン上面の清掃を行う乗客コンベア用オイルパン清掃機を、踏み体に取り付けた支持部材１１と、一端側を支持部材１１に回動可能に支持し、かつ、他端側を踏み体の進行方向に向って延在させて踏み体の戻り側走行時にオイルパン上面に摺接させる板状の清掃体１２と、踏み体が戻り側走行するために反転することによって、清掃体１２がオイルパン上面に摺接した際、清掃体１２とこの清掃体１２より進行方向後方に位置する部分のオイルパン５との間に形成される摺接角度Ｐ２が鋭角となるように清掃体１２の位置を規制する規制部材１３から構成することで、達成できる。【選択図】図６
2008213958.tif 000002
【特許請求の範囲】
【請求項１】
無端状に連結されて左右乗降口間で循環走行する複数個の踏み体と一緒に走行することで前記踏み体の下方に対向して設けられたオイルパン上面の清掃を行うところの乗客コンベア用オイルパン清掃機であって、その乗客コンベア用オイルパン清掃機を、前記踏み体に取り付けた支持部材と、一端側を前記支持部材に回動可能に支持し、かつ、他端側を前記踏み体の進行方向に向って延在させて前記踏み体の戻り側走行時に前記オイルパン上面に摺接させる板状の清掃体と、前記踏み体が戻り側走行するために反転することによって、前記清掃体が前記オイルパン上面に摺接した際、前記清掃体と前記清掃体より進行方向後方に位置する前記オイルパンとの間に形成される摺接角度が鋭角となるように前記清掃体の位置を規制する規制部材とから少なくとも構成したことを特徴とする乗客コンベア用オイルパン清掃機。
【請求項２】
前記規制部材を、前記支持部材が取り付けられた前記踏み体の進行方向前方に配置された踏み体に取り付けた連結部材と、この連結部材と前記清掃体とを前記摺接角度が鋭角となるように連結する紐状部材とから少なくとも構成したことを特徴とする請求項１記載の乗客コンベア用オイルパン清掃機。
【請求項３】
前記規制部材を、前記支持体を取り付けた前記踏み体の踏み板上面前部に取り付けた開度抑制部材と、この開度抑制部材と前記清掃体の他端部とを前記摺接角度が鋭角となるように連結する紐状部材とから少なくとも構成したことを特徴とする請求項１記載の乗客コンベア用オイルパン清掃機。
【請求項４】
前記規制部材を、前記支持部材に設けられて前記清掃体の開動角度を前記摺接角度が鋭角となるように抑制する角度抑制機構から構成したことを特徴とする請求項１記載の乗客コンベア用オイルパン清掃機。
【請求項５】
無端状に連結された複数個の前記踏み体のうちの１つを取り外して形成される空間に、前記清掃体が配置されるように、その空間の前方に位置する踏み体に前記連結部材を、かつ、その空間の後方に位置する踏み体に前記支持部材を、それぞれ取り付ける構成としたことを特徴とする請求項１記載の乗客コンベア用オイルパン清掃機。
【請求項６】
無端状に連結された複数個の前記踏み体のうちの１つの踏み体の踏み板を取り外し、その取り外すことによって形成される高さ空間内に、前記支持部材及び前記清掃体が配置される構成したことを特徴とする請求項１記載の乗客コンベア用オイルパン清掃機。
【請求項７】
前記規制部材を、前記踏み体が戻り側走行するために反転することによって、前記清掃体が前記オイルパン上面に摺接した際、前記清掃体と前記清掃体より進行方向後方に位置する前記オイルパンとの間に形成される摺接角度が鋭角となるように前記清掃体を案内する案内レールから構成したことを特徴とする請求項１記載の乗客コンベア用オイルパン清掃機。
【発明の詳細な説明】
【技術分野】
【０００１】
本発明は、エレベーターや動く歩道など含む乗客コンベアに好適な乗客コンベア用オイルパン清掃機に関するものである。
【背景技術】
【０００２】
一般に、乗客コンベアは、駅、空港若しくは百貨店などの多くの人が集まる場所に設置されており、乗客コンベアの利用客への不便さを軽減するために、不稼動時間を短くする必要がある。ところが、乗客コンベアのオイルパンを清掃するには、パレット若しくは踏み段などからなる踏み体を、移動チェーン（ステップチェーン）やレール（ステップガイドレール）から複数個取り除き乗客コンベアの外方に運搬した後、乗客コンベア用オイルパン清掃機を、取り除かない踏み体に取り付けねばならない。そのために、清掃時間が長くなることで、乗客コンベアの不稼動時間が長くなってしまい、しかも、清掃を行う保守員の肉体的労力も大きくならざるを得なかった。
【０００３】
そこで、図２４に示すように、従来の乗客コンベア用オイルパン清掃機９０としては、踏み体９１に取り付けた支持部材９２と、一端側が支持部材９２に回動可能に支持され、かつ、他端側が踏み体９１の進行方向に向って延在させた清掃体９３とからなり、この清掃体９３の他端側に設けた清掃子９５を、踏み体９１の下方に対向して設けられたオイルパン９４上面に摺接させながら、踏み体９１と一緒に走行させることにより、オイルパン９４上面に堆積した塵埃を掻き集めるようにしたものが、種々提案されている（例えば、特許文献１参照）。なお、図２４において、符号９６は、乗客コンベアの乗降口床板を、符号９７は、乗降口床板９７の端縁に設けたくしを、符合９８は、ターミナルギヤを、符合９９は、移動チェーンを、それぞれ表している。
【特許文献１】実開昭６３−１３６６８１号公報
【発明の開示】
【発明が解決しようとする課題】
【０００４】
しかしながら、上述した図２４や実開昭６３−１３６６８１号公報などに記載された乗客コンベア用オイルパン清掃機では、図２４に示すように、踏み体９１が戻り側走行するために反転することによって、清掃体９３及び清掃子９５がオイルパン９４上面に摺接した際、清掃体９３及び清掃子９５とこの清掃体９３及び清掃子９５より進行方向後方に位置するオイルパン９４部分との間に形成される摺接角度Ｐ１が鈍角となってしまっていた。そのために、清掃体９３及び清掃子９５がオイルパン９４に接触する際の衝撃力が過大となり、清掃体９３及び清掃子９５及びオイルパン９４が損傷してしまうという問題が発生しまうとともに、オイルパン９４上面の清掃が円滑に行われないという問題があった。
【０００５】
本発明は、上述した従来技術における実状からなされたもので、その目的は、踏み体が戻り側走行するために反転することによって、清掃体がオイルパン上面に摺接する際の衝撃力を小さくして、清掃体及びオイルパンの損傷を防止するとともに、オイルパン上面の清掃を円滑に行うことを可能にした乗客コンベア用オイルパン清掃機を提供することにある。
【課題を解決するための手段】
【０００６】
上記目的を達成するために、本発明は、無端状に連結されて左右乗降口間で循環走行する複数個の踏み体と一緒に走行することで、前記踏み体の下方に対向して設けられたオイルパン上面の清掃を行うところの乗客コンベア用オイルパン清掃機であって、その乗客コンベア用オイルパン清掃機を、前記踏み体に取り付けた支持部材と、一端側を前記支持部材に回動可能に支持し、かつ、他端側を前記踏み体の進行方向に向って延在させて前記踏み体の戻り側走行時に前記オイルパン上面に摺接させる板状の清掃体と、前記踏み体が戻り側走行するために反転することによって、前記清掃体が前記オイルパン上面に摺接した際、前記清掃体と前記清掃体より進行方向後方に位置する前記オイルパンとの間に形成される摺接角度が鋭角となるように前記清掃体の位置を規制する規制部材とから少なくとも構成したことを特徴としている。
【０００７】
さらに、本発明は、前記規制部材を、前記支持部材に取り付けられた前記踏み体の進行方向前方に配置された踏み体に取り付けた連結部材と、この連結部材と前記清掃体とを前記摺接角度が鋭角となるように連結する紐状部材とから少なくとも構成したことを特徴としている。
【０００８】
さらに、本発明は、前記規制部材を、前記支持体を取り付けた前記踏み体の踏み板上面前部に取り付けた開度抑制部材と、この開度抑制部材と前記清掃体の他端部とを前記摺接角度が鋭角となるように連結する紐状部材とから少なくとも構成したことを特徴としている。
【０００９】
さらに、本発明は、前記規制部材を、前記支持部材に設けられて前記清掃体の開動角度を前記摺接角度が鋭角となるように抑制する角度抑制機構から構成したことを特徴としている。
【００１０】
さらに、本発明は、無端状に連結された複数個の前記踏み体のうちの１つを取り外して形成される空間に、前記清掃体が配置されるように、その空間の前方に位置する踏み体に前記連結部材を、かつ、その空間の後方に位置する踏み体に前記支持部材を、それぞれ取り付ける構成としたことを特徴としている。
【００１１】
さらに、本発明は、無端状に連結された複数個の前記踏み体のうちの１つの踏み体の踏み板を取り外し、その取り外すことによって形成される高さ空間内に、前記支持部材及び前記清掃体が配置される構成としたことを特徴としている。
【００１２】
さらに、本発明は、前記規制部材を、前記踏み体が戻り側走行するために反転することによって、前記清掃体が前記オイルパン上面に摺接した際、前記清掃体と前記清掃体より進行方向後方に位置する前記オイルパンとの間に形成される摺接角度が鋭角となるように前記清掃体を案内する案内レールから構成したことを特徴としている。
【発明の効果】
【００１３】
本発明によれば、清掃部材用取り付け部材及び清掃部材の位置を規制する規制部材により、踏み体が戻り側走行するために反転することによって清掃体がオイルパン上面に摺接した際、清掃体とこの清掃体より進行方向後方に位置する部分のオイルパンとの間に形成される摺接角度が鋭角となるようにしたので、清掃部材がオイルパンに接触する際の衝撃力を小さくなり、清掃部材及びオイルパンの損傷が防止され、かつ、オイルパン上面の清掃が円滑に行われる乗客コンベア用オイルパン清掃機が得られる。
【発明を実施するための最良の形態】
【００１４】
以下、本発明に係る乗客コンベア用オイルパン清掃機の実施形態を、図１〜図２３に、基づいて説明する。図１は、本発明の一実施形態に係り、乗客コンベア用オイルパン清掃機を装着した状態における乗客コンベア全体の概略構成図である。図２は、本発明の一実施形態に係り、乗客コンベア用オイルパン清掃機の概略構成を示す斜視図である。図３は、本発明の一実施形態に係り、乗客コンベアの踏み体の走行状態説明図である。図４は、本発明の一実施形態に係り、乗降口床板下面に近接する位置部分における乗客コンベア用オイルパン清掃機の走行状態説明図である。図５は、本発明の一実施形態に係り、乗降口床板下方の機械室内に位置する部分における乗客コンベア用オイルパン清掃機の走行状態説明図である。図６は、本発明の一実施形態に係り、踏み体の走行方向が反転して清掃部材がオイルパンに摺接した位置における乗客コンベア用オイルパン清掃機の走行状態説明図である。図７は、本発明の一実施形態に係り、清掃部材がオイルパン上を摺動移動している位置における乗客コンベア用オイルパン清掃機の走行状態説明図である。図８は、本発明の一実施形態に係り、踏み体の走行方向が反転して清掃部材がオイルパンに摺接した状態における乗客コンベア用オイルパン清掃機の動作原理説明図である。図９は、本発明の他実施形態その１に係り、乗降口床板下方の機械室内に位置する部分における乗客コンベア用オイルパン清掃機の走行状態説明図である。図１０は、本発明の他実施形態その１に係り、踏み体の走行方向が反転して清掃部材がオイルパンに摺接した位置における乗客コンベア用オイルパン清掃機の走行状態説明図である。図１１は、本発明の他実施形態その２に係り、乗降口床板下方の機械室内に位置する部分における乗客コンベア用オイルパン清掃機の走行状態説明図である。図１２は、本発明の他実施形態その２に係り、踏み体の走行方向が反転して清掃部材がオイルパンに摺接した位置における乗客コンベア用オイルパン清掃機の走行状態説明図である。図１３は、本発明の他実施形態その３に係り、乗降口床板下面に近接する位置部分における乗客コンベア用オイルパン清掃機の走行状態説明図である。図１４は、本発明の他実施形態その３に係り、乗降口床板下方の機械室内に位置する部分における乗客コンベア用オイルパン清掃機の走行状態説明図である。図１５は、本発明の他実施形態その３に係り、踏み体の走行方向が反転して清掃部材がオイルパンに摺接した位置における乗客コンベア用オイルパン清掃機の走行状態説明図である。図１６は、本発明の他実施形態その３に係り、清掃部材がオイルパン上を摺動移動している位置における乗客コンベア用オイルパン清掃機の走行状態説明図である。図１７は、本発明の他実施形態その４に係り、乗降口床板下面に近接する位置部分における乗客コンベア用オイルパン清掃機の走行状態説明図である。図１８は、本発明の他実施形態その４に係り、乗降口床板下方の機械室内に位置する部分における乗客コンベア用オイルパン清掃機の走行状態説明図である。図１９は、本発明の他実施形態その４に係り、踏み体の走行方向が反転して清掃部材がオイルパンに摺接した位置における乗客コンベア用オイルパン清掃機の走行状態説明図である。図２０は、本発明の他実施形態その４に係り、清掃部材がオイルパン上を摺動移動している位置における乗客コンベア用オイルパン清掃機の走行状態説明図である。図２１は、本発明の他実施形態その５に係り、踏み体の走行方向が反転して清掃部材がオイルパンに摺接した位置における乗客コンベア用オイルパン清掃機の走行状態説明図である。図２２は、本発明の他実施形態その６に係り、乗客コンベア用オイルパン清掃機の概略構成を示す斜視図である。図２３は、本発明の他実施形態その７に係り、乗客コンベア用オイルパン清掃機の概略構成を示す斜視図である。
【００１５】
図１に示す本発明の一実施形態に係る乗客コンベア１は、左右乗降口２、２Ａの間で循環走行する踏み段などからなる複数個の踏み体３、これら踏み体３の両側方に立設した欄干４と、これら踏み体３の下方に対向して設けられたオイルパン５と、これら踏み体３を無端状に連結した移動チェーン（ステップチェーン）６と、この移動チェーン６を移動させることで踏み体３を循環走行するためのターミナルギヤ７と、左右乗降口２、２Ａのそれぞれに設けた乗降口床板（フロアプレート）８とを、少なくとも包含する構成としてある。なお、図１において、符号Ｗは、オイルパン５上に堆積した塵埃を示している。
【００１６】
踏み体３は、図１及び図３〜図８に示すように、踏み段枠（ステップフレーム）３Ａと、踏み板（ステップトレッド）３Ｂと、ライザー３Ｃと、前輪３Ｄと、後輪３Ｅとからなっている。無端状に連結された複数個の踏み体３は、ターミナルギヤ７によって、乗降口２、２Ａにおける乗降口床板８下方の機械室９内にて走行方向を反転させることにより、左右の乗降口２、２Ａ間で循環走行するようにしてある。その場合、無端状に連結された複数個の踏み体３は、図３に示すように、ターミナルギヤ７の周りで無端状に連結された複数個の踏み体３が反転する場合、踏み体３間の間隙Ｇ１が広がって大きくなった後、反転してターミナルギヤ７の周りから複数個の踏み体３が離れると、その離れた踏み体３間の間隙Ｇ２が小さくなるように、左右の乗降口２、２Ａ間で循環走行している。なお、図３において、符号８Ａは、乗降口床板８の端縁に着脱可能に設けたくしを表している。
【００１７】
乗客コンベア１に用いられる乗客コンベア用オイルパン清掃機１０は、図２に示すように、踏み体３の踏み板３Ｂの上面後部に取り付けられる支持部材１１と、一端側を支持部材１１に回動可能に支持し、かつ、他端側を踏み体３の進行方向に向って延在させて踏み体３の戻り側走行時にオイルパン５上面に摺接させる平板状の清掃体１２と、踏み体３が戻り側走行するために反転することによって、前記清掃体１２がオイルパン５上面に摺接した際、清掃体１２とこの清掃体１２より進行方向後方に位置するオイルパン５の部分との間に形成される摺接角度Ｐ２が鋭角となるように、清掃体１２の位置を規制する規制部材１３とから少なくとも構成されており、無端状に連結されて左右乗降口２、２Ａの間で循環走行する複数個の踏み体３と一緒に走行させることで、オイルパン５上面を清掃体１２が摺動走行することにより、オイルパン５上面の塵埃Ｗを集めるようにしたものである。なお、本発明者らは、この時の摺接角度Ｐ２を４５度以下とすると、清掃体１２がオイルパン５上面を円滑に摺動することを実験によって確認している。したがって、摺接角度Ｐ２が４５度以下になるように規制部材１３で調整することが望ましい。
【００１８】
清掃体１２は、一端側を連結軸１４によって、支持部材１１に回動可能に支持し、かつ、他端側をその他端側に設けたスクレーパー１５を介してオイルパン５上面に摺接するようにしてある。規制部材１３は、清掃体１２よりも踏み体３の進行方向前方に配置された踏み体３に取り付けた平板状の連結部材１６と、この連結部材１５と清掃体１２とを摺接角度Ｐ２が鋭角となるように連結する紐状部材１７とから少なくとも構成されている。スクレーパー１５は、厚さが薄く、かつ、オイルパン５上面にこびりついた塵埃を剥がすのに十分な硬度を有するプラスチックから作られている。紐状部材１７の長さは、図６に示すように、踏み体３が戻り側走行するために反転することによって、清掃体１２がオイルパン５上面に摺接した際、支持部材１１を取り付けた踏み体３の前方に位置する別の踏み体３に引っ張られることにより、清掃体１２とこの清掃体１２より進行方向後方に位置するオイルパン５の部分との間に形成される摺接角度Ｐ２が鋭角となる長さに設定されている。
【００１９】
乗客コンベア用オイルパン清掃機１０は、支持部材１１と清掃体１２と規制部材１３とを予め組み立てた状態で、支持部材１１を踏み体３の踏み板３Ｂの上面後部に着脱自在に取り付けるとともに、その支持部材１１を取り付けた踏み体３の前方に位置する別の踏み体３のライザー３Ｃに規制部材１３の連結部材１６を着脱自在に取り付けることによって、乗客コンベア１の左右乗降口間で走行するところの無端状に連結された複数個の踏み体３に装着される。なお、乗客コンベア用オイルパン清掃機１０は、支持部材１１を踏み体３の踏み板３Ｂに取り付け、かつ、規制部材１３の連結部材１６を踏み体３のライザー３Ｃに取り付けた後、清掃体１２と規制部材１３の紐状部材１７とを連結する構成とすることもできる。
【００２０】
踏み体３が戻り側走行するために反転することによって、清掃体１２がオイルパン５上面に摺接した際の踏み体３の反転力Ｆ０は、図３に示すように、オイルパン５の面に対して垂直方向の垂直分力Ｆ１とオイルパン５の面に対して水平方向の水平分力Ｆ２とからなっている。しかも、オイルパン５の面に対して垂直方向の垂直分力Ｆ１は、清掃体１２とこの清掃体１２より進行方向後方に位置するオイルパン５の部分との間に形成される摺接角度Ｐ２を、９０度よりも小さく設定すればするほど、すなわち、摺接角度Ｐ２をより小さく設定すればするほど、より小さくすることができる。そして、垂直分力Ｆ１を小さくすることで、踏み体３が戻り側走行するために反転して清掃体１２に接触した際の衝撃力を小さくすることにより、清掃体１２及びオイルパン５の損傷を抑えることができる。
【００２１】
上述した一実施形態の乗客コンベア用オイルパン清掃機１０のターミナルギヤ７周りにおける走行は、図４〜図７に示すように行われる。すなわち、乗客コンベア用オイルパン清掃機１０を無端状に連結された複数個の踏み体３に装着し、かつ、乗降口床板８の端縁からくし８Ａを取り除いた状態で、無端状に連結された複数個の踏み体３を走行させると、図４に示すように、乗客コンベア用オイルパン清掃機１０が、乗降口床板８に引っ掛かることなく、乗降口床板８の下面下方に走行する。そして、乗降口床板８の下面下方に走行した乗客コンベア用オイルパン清掃機１０は、図５に示すように、踏み体３間の間隙Ｇ１が広がって大きくなることにより、紐状部材１７が踏み体３の反転走行側に引っ張られることで、清掃体１２が踏み体３の踏み板３Ｂの上面に近づく方向に回動させられた状態となる。
【００２２】
さらに、踏み体３が反転して、乗客コンベア用オイルパン清掃機１０の清掃体１２の他端部がスクレーパー１５を介して衝突した際は、図６に示すように、規制部材１３の紐状部材１７によって踏み体３の反転走行側に引っ張られていることで、清掃体１２と清掃体１２より進行方向後方に位置するオイルパン５との間に形成される摺接角度Ｐ２が鋭角となった状態が保持されている。その後、乗客コンベア用オイルパン清掃機１０が図７に示す状態で、図１の右側の乗降口２下方（上部機械室）から図１の左側の乗降口２Ａ下方（下部機械室）に移動することにより、清掃体１２の他端部に設けたスクレーパー１５によって、オイルパン５上に堆積した塵埃を剥がし、その塵埃が図１の左側の乗降口２Ａ下方に集められる。
【００２３】
上記一実施形態に係る乗客コンベア用オイルパン清掃機１０によれば、踏み体３が戻り側走行するために反転することによって、清掃体１２がオイルパン５上面に摺接する際の衝撃力が小さくなり、清掃体１２及びオイルパン５の損傷が防止されるとともに、オイルパン５上面の清掃が円滑に行われる。
【００２４】
次に、上記他実施形態その１に係る乗客コンベア用オイルパン清掃機２０を、図９〜図１０に基づき、説明する。図９〜図１０において、図１〜図８と同一符号は、同一内容を表している。
【００２５】
図９〜図１０に示す他実施形態その１に係る乗客コンベア用オイルパン清掃機２０の規制部材２１は、支持体１１を取り付けた踏み体３の踏み板３Ｂの上面前部に取り付けた開度抑制部材２２と、この開度抑制部材２２と清掃体１２の他端部とを摺接角度Ｐ２が鋭角となるように連結する紐状部材２３とから少なくとも構成してある。乗客コンベア用オイルパン清掃機２０は、規制部材２１以外の構成については、図１〜図８に示す一実施形態に係る乗客コンベア用オイルパン清掃機１０と略同一としてある。
【００２６】
上記他実施形態その１に係る乗客コンベア用オイルパン清掃機２０によれば、その乗客コンベア用オイルパン清掃機２０を１つの踏み体３の踏み板３Ｂ上に装着すれがよく、その装着作業を簡単に行うことができるとともに、オイルパン５と踏み体３との距離（間隙）が小さい乗客コンベア１であっても、オイルパン５上の清掃を円滑に行うことができる。
【００２７】
次に、上記他実施形態その２に係る乗客コンベア用オイルパン清掃機３０を、図１１〜図１２に基づき、説明する。図１１〜図１２において、図１〜図８と同一符号は、同一内容を表している。
【００２８】
図１１〜図１２に示す他実施形態その２に係る乗客コンベア用オイルパン清掃機３０の規制部材３１は、支持部材１１に設けられて清掃体１２の開動角度を摺接角度Ｐ２が鋭角となるように抑制する角度抑制機構３２から構成してある。乗客コンベア用オイルパン清掃機３０は、規制部材３１以外の構成については、図１〜図８に示す一実施形態に係る乗客コンベア用オイルパン清掃機１０と略同一としてある。
【００２９】
上記他実施形態その２に係る乗客コンベア用オイルパン清掃機３０によれば、角度抑制機構３２によって、清掃体１２の開動角度を摺接角度Ｐ２が鋭角に保持され、一実施形態に係る乗客コンベア用オイルパン清掃機１０の規制部材１３のように、連結部材１６及び紐状部材１７を不要とするので、その乗客コンベア用オイルパン清掃機３０の装着作業を簡単に行うことができるとともに、オイルパン５と踏み体３との距離（間隙）が小さい乗客コンベア１であっても、オイルパン５上の清掃を円滑に行うことができる。
【００３０】
次に、上記他実施形態その３に係る乗客コンベア用オイルパン清掃機４０を、図１３〜図１６に基づき、説明する。図１３〜図１６において、図１〜図８と同一符号は、同一内容を表している。
【００３１】
図１３〜図１６に示す他実施形態その３に係る乗客コンベア用オイルパン清掃機４０は、乗降口床板８の端縁からくし８Ａを取り除くことなく、無端状に連結された複数個の踏み体３に装着してオイルパン５上の清掃を可能したものである。そのために、図１３〜図１６に示す他実施形態その３に係る乗客コンベア用オイルパン清掃機４０は、無端状に連結された複数個の踏み体３のうちの１つを取り外して形成される空間Ａ１に、清掃体１２が配置されるように、その空間Ａ１の前方に位置する踏み体３のライザー３Ｃに連結部材を、かつ、その空間Ａ１の後方に位置する踏み体３の踏み段枠３Ａに支持部材１１を、それぞれ取り付ける構成としたものであり、それ以外の構成については、図１〜図８に示す一実施形態に係る乗客コンベア用オイルパン清掃機１０と略同一としてある。
【００３２】
上記他実施形態その３に係る乗客コンベア用オイルパン清掃機４０によれば、踏み体３のうちの１つを取り外すことで形成される空間Ａ１に、その乗客コンベア用オイルパン清掃機４０を設置させることで、その乗客コンベア用オイルパン清掃機４０全体を踏み体３の踏み板３Ｂの上面よりも下方に位置させることができる。そのために、乗客コンベア用オイルパン清掃機４０は、図１３〜図１６に示すように、乗降口床板８の端縁に設けたくし８Ａに引っ掛かることなく、走行させることができる。この場合であっても、ターミナルギヤ７周りを乗客コンベア用オイルパン清掃機４０が、図４〜図７に示す乗客コンベア用オイルパン清掃機１０と同様に走行するので、踏み体３が戻り側走行するために反転することによって清掃体１２がオイルパン５上面に摺接する際の衝撃力が、小さくなるので、清掃体１２及びオイルパン５の損傷が防止されるとともに、オイルパン５上面の清掃が円滑に行われる。
【００３３】
次に、上記他実施形態その４に係る乗客コンベア用オイルパン清掃機５０を、図１７〜図２０に基づき、説明する。図１７〜図２０において、図１〜図８と同一符号は、同一内容を表している。
【００３４】
図１７〜図２０に示す他実施形態その４に係る乗客コンベア用オイルパン清掃機５０は、乗降口床板８の端縁からくし８Ａを取り除くことなく、無端状に連結された複数個の踏み体３に装着してオイルパン５上の清掃を可能したものである。そのために、図１７〜図２０に示す他実施形態その４に係る乗客コンベア用オイルパン清掃機５０は、無端状に連結された複数個の踏み体３のうちの１つの踏み体３の踏み板３Ｂを取り外し、その取り外すことによって形成される高さ空間Ａ２内に、支持部材１１及び清掃体１２が配置される構成としたものであり、それ以外の構成については、図１〜図８に示す一実施形態に係る乗客コンベア用オイルパン清掃機１０と略同一としてある。
【００３５】
上記他実施形態その４に係る乗客コンベア用オイルパン清掃機５０によれば、その乗客コンベア用オイルパン清掃機５０を踏み体３の踏み板３Ｂの上面よりも下方に位置させることができるので、図１７〜図２０に示すように、乗降口床板８の端縁からくし８Ａに引っ掛かることなく、走行させることができる。この場合であっても、ターミナルギヤ７周りを乗客コンベア用オイルパン清掃機５０が、図４〜図７に示す乗客コンベア用オイルパン清掃機１０と同様に走行するので、踏み体３が戻り側走行するために反転することによって清掃体１２がオイルパン５上面に摺接する際の衝撃力が、小さくなるので、清掃体１２及びオイルパン５の損傷が防止されるとともに、オイルパン５上面の清掃が円滑に行われる。
【００３６】
次に、上記他実施形態その５に係る乗客コンベア用オイルパン清掃機６０を、図２１に基づき、説明する。図２１において、図１〜図８と同一符号は、同一内容を表している。
【００３７】
図２１に示す他実施形態その５に係る乗客コンベア用オイルパン清掃機６０の規制部材６１は、踏み体３が戻り側走行するために反転することによって、清掃体１２がオイルパン５上面に摺接した際、清掃体１２と前この清掃体１２より進行方向後方に位置するオイルパン５との間に形成される摺接角度Ｐ２が鋭角となるように、清掃体１２を案内する案内レール６２から構成されている。図２１に示す他実施形態その５に係る乗客コンベア用オイルパン清掃機６０は、規制部材６１以外の構成については、図１〜図８に示す一実施形態に係る乗客コンベア用オイルパン清掃機１０と略同一としてある。
【００３８】
上記他実施形態その５に係る乗客コンベア用オイルパン清掃機６０によっても、踏み体３が戻り側走行するために反転することによって清掃体１２がオイルパン５上面に摺接する際の衝撃力が、小さくなるので、清掃体１２及びオイルパン５の損傷が防止されるとともに、オイルパン５上面の清掃が円滑に行われる。
【００３９】
次に、上記他実施形態その６に係る乗客コンベア用オイルパン清掃機７０を、図２２に基づき、説明する。図２２において、図２と同一符号は、同一内容を表している。
【００４０】
図２２に示す乗客コンベア用オイルパン清掃機７０は、踏み体３の踏み板上面後部に取り付けた支持部材１１と、一端側を支持部材１１に回動可能に支持し、かつ、他端側を踏み体３の進行方向に向って延在させて踏み体３の戻り側走行時にオイルパン５上面に摺接させる板状の清掃体１２と、踏み体３が戻り側走行するために反転することによって清掃体１２がオイルパン５上面に摺接した際、清掃体１２とこの清掃体１２より進行方向後方に位置するオイルパン５との間に形成される摺接角度Ｐ２が鋭角となるように、清掃体１２の位置を規制する規制部材１３とから少なくとも構成し、しかも、規制部材１３を、清掃体１２よりも踏み体３の進行方向前方に配置された踏み体１２に取り付けた連結部材１６と、この連結部材１６と清掃体１２とを摺接角度Ｐ２が鋭角となるように連結する紐状部材１７とから少なくとも構成するとともに、清掃体１２に油吸着剤７１を塗布するようにしたものである。図２２に示す乗客コンベア用オイルパン清掃機７０と図１〜図８に示す一実施形態に係る乗客コンベア用オイルパン清掃機１０とは、前者が清掃体１２の他端部に設けたスクレーパー１５を有していないのに対して、後者が清掃体１２の他端部に設けたスクレーパー１５を有していること、及び前者が清掃体１２に油吸着剤７１を塗布させているのに対して、後者が清掃体１２に油吸着剤７１が塗布させていないことの点以外は同一構成としてある。
【００４１】
上記他実施形態その６に係る乗客コンベア用オイルパン清掃機７０によれば、スクレーパー１５を介することなく、清掃体１２の他端部を直接、オイルパン５上面に摺接させるようにしても、清掃体１２及びオイルパン５の損傷が防止されつつ、オイルパン５上面の塵埃を効率よく集めることができるとともに、オイルパン５上面の油の回収率を高めることができる。
【００４２】
次に、上記他実施形態その７に係る乗客コンベア用オイルパン清掃機８０を、図２３に基づき、説明する。図２３において、図２２と同一符号は、同一内容を表している。
【００４３】
図２３に示す乗客コンベア用オイルパン清掃機８０の清掃体８１は、補強構造１９を備えた厚さ３ｍｍのダンボール製とし、軽量化を図ったものとしてあり、オイルパン５上にある溶接部などの突起物に衝突した場合に、屈曲してしまう構成とするとともに、油吸着剤８２が塗布されていない。図２３に示す他実施形態その７に係る乗客コンベア用オイルパン清掃機８０は、清掃体８１以外の構成については、図２２に示す乗客コンベア用オイルパン清掃機７０と略同一としてある。
【００４４】
上記他実施形態その７に係る乗客コンベア用オイルパン清掃機８０であれば、オイルパン５上にある溶接部などの突起物に清掃体８１が衝突した際に、その清掃体８１によって踏み体３が突き上げられて、その踏み体３をレールから外して落下させてしまうことを阻止できるとともに、オイルパン５が損傷されることなく、オイルパン５上面の清掃を円滑に行うことができる。
【００４５】
上記各実施形態例では、左右の乗降口２、２Ａは、上下に段差がある構造としているが、上下に段差のない水平構造としてもよい。また、上記各実施形態例では、踏み体３は、踏み段構造としているが、パレット構造であってもよい。
【図面の簡単な説明】
【００４６】
【図１】本発明の一実施形態に係り、乗客コンベア用オイルパン清掃機を装着した状態における乗客コンベア全体の概略構成図である。
【図２】本発明の一実施形態に係り、乗客コンベア用オイルパン清掃機の概略構成を示す斜視図である。
【図３】本発明の一実施形態に係り、乗客コンベアの踏み体の走行状態説明図である。
【図４】本発明の一実施形態に係り、乗降口床板下面に近接する位置部分における乗客コンベア用オイルパン清掃機の走行状態説明図である。
【図５】本発明の一実施形態に係り、乗降口床板下方の機械室内に位置する部分における乗客コンベア用オイルパン清掃機の走行状態説明図である。
【図６】本発明の一実施形態に係り、踏み体の走行方向が反転して清掃部材がオイルパンに摺接した位置における乗客コンベア用オイルパン清掃機の走行状態説明図である。
【図７】本発明の一実施形態に係り、清掃部材がオイルパン上を摺動移動している位置における乗客コンベア用オイルパン清掃機の走行状態説明図である。
【図８】本発明の一実施形態に係り、踏み体の走行方向が反転して清掃部材がオイルパンに摺接した状態における乗客コンベア用オイルパン清掃機の動作原理説明図である。
【図９】本発明の他実施形態その１に係り、乗降口床板下方の機械室内に位置する部分における乗客コンベア用オイルパン清掃機の走行状態説明図である。
【図１０】本発明の他実施形態その１に係り、踏み体の走行方向が反転して清掃部材がオイルパンに摺接した位置における乗客コンベア用オイルパン清掃機の走行状態説明図である。
【図１１】本発明の他実施形態その２に係り、乗降口床板下方の機械室内に位置する部分における乗客コンベア用オイルパン清掃機の走行状態説明図である。
【図１２】本発明の他実施形態その２に係り、踏み体の走行方向が反転して清掃部材がオイルパンに接触した位置における乗客コンベア用オイルパン清掃機の走行状態説明図である。
【図１３】本発明の他実施形態その３に係り、乗降口床板下面に近接する位置部分における乗客コンベア用オイルパン清掃機の走行状態説明図である。
【図１４】本発明の他実施形態その３に係り、乗降口床板下方の機械室内に位置する部分における乗客コンベア用オイルパン清掃機の走行状態説明図である。
【図１５】本発明の他実施形態その３に係り、踏み体の走行方向が反転して清掃部材がオイルパンに摺接した位置における乗客コンベア用オイルパン清掃機の走行状態説明図である。
【図１６】本発明の他実施形態その３に係り、清掃部材がオイルパン上を摺動移動している位置における乗客コンベア用オイルパン清掃機の走行状態説明図である。
【図１７】本発明の他実施形態その４に係り、乗降口床板下面に近接する位置部分における乗客コンベア用オイルパン清掃機の走行状態説明図である。
【図１８】本発明の他実施形態その４に係り、乗降口床板下方の機械室内に位置する部分における乗客コンベア用オイルパン清掃機の走行状態説明図である。
【図１９】本発明の他実施形態その４に係り、踏み体の走行方向が反転して清掃部材がオイルパンに摺接した位置における乗客コンベア用オイルパン清掃機の走行状態説明図である。
【図２０】本発明の他実施形態その４に係り、清掃部材がオイルパン上を摺動移動している位置における乗客コンベア用オイルパン清掃機の走行状態説明図である。
【図２１】本発明の他実施形態その５に係り、踏み体の走行方向が反転して清掃部材がオイルパンに摺接した位置における乗客コンベア用オイルパン清掃機の走行状態説明図である。
【図２２】本発明の他実施形態その６に係り、乗客コンベア用オイルパン清掃機の概略構成を示す斜視図である。
【図２３】本発明の他実施形態その７に係り、乗客コンベア用オイルパン清掃機の概略構成を示す斜視図である。
【図２４】従来例に係り、踏み体の走行方向が反転して清掃部材がオイルパンに接触した摺接における乗客コンベア用オイルパン清掃機の走行状態説明図である。
【符号の説明】
【００４７】
１    乗客コンベア
２、２Ａ  乗降口
３    踏み体
３Ａ  踏み段枠
３Ｂ  踏み板
３Ｃ  ライザー
３Ｄ  前輪
３Ｅ  後輪
４    欄干
５    オイルパン
６    移動チェーン
７    ターミナルギヤ
８    乗降口床板
８Ａ  くし
９    機械室
１０  乗客コンベア用オイルパン清掃機（一実施形態）
１１  支持部材
１２  清掃体
１３  規制部材
１４  連結軸
１５  スクレーパー
１６  連結部材
１７  紐状部材
２０  乗客コンベア用オイルパン清掃機（他実施形態その１）
２１  規制部材
２２  開度抑制部材
２３  紐状部材
３０  乗客コンベア用オイルパン清掃機（他実施形態その２）
３１  規制部材
３２  角度抑制機構
４０  乗客コンベア用オイルパン清掃機（他実施形態その３）
５０  乗客コンベア用オイルパン清掃機（他実施形態その４）
６０  乗客コンベア用オイルパン清掃機（他実施形態その５）
６１  規制部材
６２  案内レール
７０  乗客コンベア用オイルパン清掃機（他実施形態その６）
７１  油吸着剤
８０  乗客コンベア用オイルパン清掃機（他実施形態その７）
８１  清掃体
８２  補強材
Ａ１  空間
Ａ２  高さ空間
Ｇ１、Ｇ１  間隙
Ｐ１、Ｐ２  摺接角度
W    塵埃
【図１】
2008213958.tif 000003
【図２】
2008213958.tif 000004
【図３】
2008213958.tif 000005
【図４】
2008213958.tif 000006
【図５】
2008213958.tif 000007
【図６】
2008213958.tif 000008
【図７】
2008213958.tif 000009
【図８】
2008213958.tif 000010
【図９】
2008213958.tif 000011
【図１０】
2008213958.tif 000012
【図１１】
2008213958.tif 000013
【図１２】
2008213958.tif 000014
【図１３】
2008213958.tif 000015
【図１４】
2008213958.tif 000016
【図１５】
2008213958.tif 000017
【図１６】
2008213958.tif 000018
【図１７】
2008213958.tif 000019
【図１８】
2008213958.tif 000020
【図１９】
2008213958.tif 000021
【図２０】
2008213958.tif 000022
【図２１】
2008213958.tif 000023
【図２２】
2008213958.tif 000024
【図２３】
2008213958.tif 000025
【図２４】
2008213958.tif 000026